(57)【要約】      （修正有）【課題】通常の形態のダンボール箱を改良することによって、衣類をハンガーに吊った状態で収容することができる衣類収容用ダンボール箱を提供する。【解決手段】箱本体部２の一端側の上側内フラップ１６及び下側内フラップ２４には、先端側から箱本体部２側に延びる上側スリット３２及び下側スリット３４が設けられている衣類収容用ダンボール箱であって、上側内フラップ１６は、幅面部８の上端から内側に折り曲げられた第１上折曲部３８と、第１上折曲部３８から下側に折り曲げられた第２上折曲部４２とを有し、また下側内フラップ２４は、幅面部８の下端から内側に折り曲げられた第１下折曲部５０と、第１下折曲部５０から上側に折り曲げられた第２下折曲部５４とを有し、上側内フラップ１６及び下側内フラップ２４を折曲した状態では、上側内フラップ１６側の上側スリット３２と下側内フラップ２４側の下側スリット３４とが相互に整合する。【選択図】図４
0003224993.tif 000002
【実用新案登録請求の範囲】
【請求項１】
相互に対向する一対の長さ面部及び前記一対の長さ面部を接続する一対の幅面部を有する箱本体部と、前記箱本体部の前記一対の幅面部の上端から延びる一対の上側内フラップと、前記一対の幅面部の下端から延びる一対の下側内フラップと、前記箱本体部の前記一対の長さ面部の上端から延びる一対の上側外フラップと、前記一対の長さ面部の下端から延びる一対の下側外フラップとを備えており、
前記一対の上側内フラップ及び前記一対の下側内フラップのうち対応する一方の上側内フラップ及び下側内フラップには、先端部側から前記箱本体部側に延びる上側スリット及び下側スリットが設けられており、
前記上側内フラップは、前記幅面部の前記上端から内側に折り曲げられた第１上折曲部と、前記第１上折曲部から下側に折り曲げられて対応する幅面部に平行に延びる第２上折曲部とを有し、また前記下側内フラップは、前記幅面部の前記下端から内側に折り曲げられた第１下折曲部と、前記第１下折曲部から上側に折り曲げられて前記上側内フラップの前記第２上折曲部の外面側又は内面側にて上方に延びる第２下折曲部とを有し、前記上側内フラップの前記上側スリットと前記下側内フラップの前記下側スリットとが相互に整合するように構成されていることを特徴とする衣類収容用ダンボール箱。
【請求項２】
前記上側スリットは、前記上側内フラップの前記第２上折曲部に設けられ、前記第２上折曲部の一端から他端まで延びており、また前記下側スリットは、前記下側内フラップの前記第２下折曲部に設けられ、前記第２折曲部の一端から他端まで延びていることを特徴とする請求項１に記載の衣類収容用ダンボール箱。
【請求項３】
前記上側内フラップの前記第２上折曲部は、前記下側内フラップの前記第２下折曲部の内面側に配置されており、前記上側内フラップは、更に、前記第２上折曲部から折曲されて前記下側内フラップの前記第１折曲部に沿って延びる第３上折曲部を有し、前記上側内スリットは、前記上側内フラップの先端から前記第３上折曲部及び前記第２上折曲部を通して設けられ、また前記下側スリットは、前記下側内フラップの先端から前記第２下折曲部を通して設けられていることを特徴とする請求項２に記載の衣類収容用ダンボール箱。
【請求項４】
前記上側内フラップの前記第２上折曲部は、前記下側内フラップの前記第２下折曲部の内面側に配置されており、前記上側内フラップの前記第２上折曲部には、前記上側スリットを挟んで両側に一対の連結開口が設けられ、前記下側内フラップの前記第２下折曲部には、前記上側内フラップの前記一対の連結開口に対応して、前記下側スリットを挟んで両側に一対の挿入連結部が設けられており、前記下側内フラップの前記一対の挿入連結部が折曲されて前記上側内フラップの前記一対の連結開口に挿入連結されることを特徴とする請求項１に記載の衣類収容用ダンボール箱。
【請求項５】
前記上側内フラップの前記第２上折曲部には、その両側部に一対の連結切欠きが設けられ、前記下側内フラップの前記第２下折曲部には、前記上側内フラップの前記一対の連結切欠きに対応して、その両側部に一対の係合連結部が設けられており、前記下側内フラップの前記一対の係合連結部が折曲されて前記上側内フラップの前記一対の連結切欠きに係合連結されることを特徴とする請求項４に記載の衣類収容用ダンボール箱。
【請求項６】
前記上側内フラップの前記第２上折曲部の基部には、前記上側スリットに連通する上側挿入切欠きが設けられ、ハンガーのフック部が前記上側内フラップの前記上側挿入切欠きを通して挿入されることを特徴と請求項１〜５のいずれかに記載の衣類収容用ダンボール箱。
【請求項７】
前記上側内フラップの前記上側挿入切欠きには、前記上側挿入切欠きを開閉するための上側開閉片が設けられていることを特徴とする請求項６に記載の衣類収容用ダンボール箱。
【請求項８】
前記上側内フラップの前記第２上折曲部には、更に、前記一対の連結開口に対応して一対の上側挿入開口又は上側挿入切欠きが設けられているとともに、前記下側内フラップの前記第２下折曲部には、更に、前記一対の挿入連結部に対応して一対の下側挿入開口が設けられており、前記上側内フラップ及び前記下側内フラップを所要の通りに組み付けると、前記下側内フラップの前記一対の下側挿入開口と前記上側内フラップの前記一対の上側挿入開口又は上側挿入切欠きとが、相互に整合するように構成されていることを特徴とする請求項４又は５に記載の衣類収容用ダンボール箱。
【請求項９】
前記上側内フラップの前記第２折曲部は、前記下側内フラップの前記第２折曲部の外面側に配置されており、前記下側内フラップの前記第２下折曲部には、前記下側スリットを挟んで両側に一対の連結開口が設けられ、前記上側内フラップの前記第２上折曲部には、前記下側内フラップの前記一対の連結開口に対応して、前記上側スリットを挟んで両側に一対の挿入連結部が設けられており、前記上側内フラップの前記一対の挿入連結部が折曲されて前記下側内フラップの前記一対の連結開口に挿入連結されることを特徴とする請求項１に記載の衣類収容用ダンボール箱。
【請求項１０】
前記下側内フラップの前記第２下折曲部には、その両側部に一対の連結切欠きが設けられ、前記上側内フラップの前記第２上折曲部には、前記下側内フラップの前記一対の連結切欠きに対応して、その両側部に一対の係合連結部が設けられており、前記上側内フラップの前記一対の係合連結部が折曲されて前記下側内フラップの前記一対の連結切欠きに係合連結されることを特徴とする請求項９に記載の衣類収容用ダンボール箱。
【考案の詳細な説明】
【技術分野】
【０００１】
本考案は、クリーニング用衣類などを宅配などするために用いる衣類収容用ダンボール箱に関する。
【背景技術】
【０００２】
衣類を収容するための収容箱として、ダンボ−ルから形成された衣類収容用ダンボ−ル箱が提案されている（例えば、特許文献１参照）。この衣類収容用ダンボール箱は、衣類を収容するための箱本体と、この箱本体の内側に対向して配設される一対の支持壁部材とを備えている。一対の支持壁部材の上端部にはＵ字状の受部が設けられ、これら受部に上方から棒状部材が受け入れられる。
【０００３】
このような衣類収容用ダンボール箱では、箱本体内の一対の支持壁部材間に棒状部材が延びているので、この棒状部材に衣類を吊ったハンガーを掛けることができ、従って、衣類を吊った状態で箱本体内に収容することができる。
【先行技術文献】
【特許文献】
【０００４】
【特許文献１】意匠登録第１２６２６５４号公報
【考案の概要】
【考案が解決しようとする課題】
【０００５】
しかしながら、このような衣類収容用ダンボール箱では、次のような問題がある。第１に、衣類を収容するための箱本体に加えて一対の支持壁部材が必要となり、それ故に、それを製作するのに多くのダンボール材料を使用し、またそれらを搬送するのに嵩が大きくなり、これらことに起因して、衣類収容用ダンボール箱の製造コストが高くなる。第２に、衣類を吊ったハンガーを棒状部材に吊り下げるために、これを掛ける棒状部材に大きな負荷が作用し、それ故に、この棒状部材を受け入れるＵ字状の受部の強度も大きくしなければならず（例えば、ダンボール材料を貼り合わせて強度を大きくする）、その製造が煩雑であるとともに、これによっても製造コストが上昇する。
【０００６】
本考案の目的は、通常の形態のダンボール箱を改良することによって、衣類をハンガーに吊った状態で収容することができる衣類収容用ダンボール箱を提供することである。
【課題を解決するための手段】
【０００７】
本考案の請求項１に記載の衣類収容用ダンボール箱は、相互に対向する一対の長さ面部及び前記一対の長さ面部を接続する一対の幅面部を有する箱本体部と、前記箱本体部の前記一対の幅面部の上端から延びる一対の上側内フラップと、前記一対の幅面部の下端から延びる一対の下側内フラップと、前記箱本体部の前記一対の長さ面部の上端から延びる一対の上側外フラップと、前記一対の長さ面部の下端から延びる一対の下側外フラップとを備えており、
前記一対の上側内フラップ及び前記一対の下側内フラップのうち対応する一方の上側内フラップ及び下側内フラップには、先端部側から前記箱本体部側に延びる上側スリット及び下側スリットが設けられており、
前記上側内フラップは、前記幅面部の前記上端から内側に折り曲げられた第１上折曲部と、前記第１上折曲部から下側に折り曲げられて対応する幅面部に平行に延びる第２上折曲部とを有し、また前記下側内フラップは、前記幅面部の前記下端から内側に折り曲げられた第１下折曲部と、前記第１下折曲部から上側に折り曲げられて前記上側内フラップの前記第２上折曲部の外面側又は内面側にて上方に延びる第２下折曲部とを有し、前記上側内フラップの前記上側スリットと前記下側内フラップの前記下側スリットとが相互に整合するように構成されていることを特徴とする。
【０００８】
また、本考案の請求項２に記載の衣類収容用ダンボール箱では、前記上側スリットは、前記上側内フラップの前記第２上折曲部に設けられ、前記第２上折曲部の一端から他端まで延びており、また前記下側スリットは、前記下側内フラップの前記第２下折曲部に設けられ、前記第２折曲部の一端から他端まで延びていることを特徴とする。
【０００９】
また、本考案の請求項３に記載の衣類収容用ダンボール箱では、前記上側内フラップの前記第２上折曲部は、前記下側内フラップの前記第２下折曲部の内面側に配置されており、前記上側内フラップは、更に、前記第２上折曲部から折曲されて前記下側内フラップの前記第１折曲部に沿って延びる第３上折曲部を有し、前記上側内スリットは、前記上側内フラップの先端から前記第３上折曲部及び前記第２上折曲部を通して設けられ、また前記下側スリットは、前記下側内フラップの先端から前記第２下折曲部を通して設けられていることを特徴とする。
【００１０】
また、本考案の請求項４に記載の衣類収容用ダンボール箱では、前記上側内フラップの前記第２上折曲部は、前記下側内フラップの前記第２下折曲部の内面側に配置されており、前記上側内フラップの前記第２上折曲部には、前記上側スリットを挟んで両側に一対の連結開口が設けられ、前記下側内フラップの前記第２下折曲部には、前記上側内フラップの前記一対の連結開口に対応して、前記下側スリットを挟んで両側に一対の挿入連結部が設けられており、前記下側内フラップの前記一対の挿入連結部が折曲されて前記上側内フラップの前記一対の連結開口に挿入連結されることを特徴とする。
【００１１】
また、本考案の請求項５に記載の衣類収容用ダンボ−ル箱では、前記上側内フラップの前記第２上折曲部には、その両側部に一対の連結切欠きが設けられ、前記下側内フラップの前記第２下折曲部には、前記上側内フラップの前記一対の連結切欠きに対応して、その両側部に一対の係合連結部が設けられており、前記下側内フラップの前記一対の係合連結部が折曲されて前記上側内フラップの前記一対の連結切欠きに係合連結されることを特徴とする。
【００１２】
また、本考案の請求項６に記載の衣類収容用ダンボ−ル箱では、前記上側内フラップの前記第２上折曲部の基部には、前記上側スリットに連通する上側挿入切欠きが設けられ、ハンガーのフック部が前記上側内フラップの前記上側挿入切欠きを通して挿入されることを特徴とする。
【００１３】
また、本考案の請求項７に記載の衣類収容用ダンボ−ル箱では、前記上側内フラップの前記上側挿入切欠きには、前記上側挿入切欠きを開閉するための上側開閉片が設けられていることを特徴とする。
【００１４】
また、本考案の請求項８に記載の衣類収容用ダンボール箱では、前記上側内フラップの前記第２上折曲部には、更に、前記一対の連結開口に対応して一対の上側挿入開口又は上側挿入切欠きが設けられているとともに、前記下側内フラップの前記第２下折曲部には、更に、前記一対の挿入連結部に対応して一対の下側挿入開口が設けられており、前記上側内フラップ及び前記下側内フラップを所要の通りに組み付けると、前記下側内フラップの前記一対の下側挿入開口と前記上側内フラップの前記一対の上側挿入開口又は上側挿入切欠きとが、相互に整合するように構成されていることを特徴とする。
【００１５】
また、本考案の請求項９に記載の衣類収容用ダンボール箱では、前記上側内フラップの前記第２折曲部は、前記下側内フラップの前記第２折曲部の外面側に配置されており、前記下側内フラップの前記第２下折曲部には、前記下側スリットを挟んで両側に一対の連結開口が設けられ、前記上側内フラップの前記第２上折曲部には、前記下側内フラップの前記一対の連結開口に対応して、前記上側スリットを挟んで両側に一対の挿入連結部が設けられており、前記上側内フラップの前記一対の挿入連結部が折曲されて前記下側内フラップの前記一対の連結開口に挿入連結されることを特徴とする。
【００１６】
更に、本考案の請求項１０に記載の衣類収容用ダンボ−ル箱では、前記下側内フラップの前記第２下折曲部には、その両側部に一対の連結切欠きが設けられ、前記上側内フラップの前記第２上折曲部には、前記下側内フラップの前記一対の連結切欠きに対応して、その両側部に一対の係合連結部が設けられており、前記上側内フラップの前記一対の係合連結部が折曲されて前記下側内フラップの前記一対の連結切欠きに係合連結されることを特徴とする。
【考案の効果】
【００１７】
本考案の請求項１に記載の衣類収容用ダンボール箱によれば、一対の上側内フラップ及び一対の下側内フラップのうち対応する一方の上側内フラップ及び下側内フラップには、上側スリット及び下側スリットが設けられ、この上側内フラップについては幅面部の上端から内側に折り曲げられた後更に下側に折り曲げることにより、また下側内フラップについては、幅面部の下端から内側に折り曲げられた後更に上側に折り曲げることにより、箱本体部の幅面部と折曲された上側内フラップ及び下側内フラップとの間に収容空間が生じ、この収容空間をハンガーのフック部を収容するための収容空間として用いることができ、これにより、ハンガーに吊した状態の衣類を収容することができる。
【００１８】
また、上側内フラップと下側内フラップとを所要の通りに折曲すると、上側内フラップの上側スリットと下側内フラップの下側スリットとが相互に整合して連通スリットを構成するので、これら上側スリット及び下側スリット（連通スリット）を通してハンガーのフック部を収容空間に位置付けることができる。
【００１９】
また、本考案の請求項２に記載の衣類収容用ダンボール箱によれば、上側スリットは上側内フラップの第２上折曲部の一端から他端まで延び、また下側スリットは下側内フラップの第２下折曲部の一端から他端まで延びているので、ハンガーのフック部を収容空間に位置付けるためのスリット（連通スリット）は、箱本体部の幅面部の内側においてその上端から下端まで延び、これにより、衣類を吊ったハンガーをより多く箱本体部内に収容することができる。
【００２０】
また、本考案の請求項３に記載の衣類収容用ダンボール箱によれば、上側内フラップの第２上折曲部は下側内フラップの第２下折曲部の内面側に配置され、この上側内フラップは第２上折曲部から折曲されて下側内フラップの第１下折曲部に沿って延びる第３上折曲部を有しているので、上側内フラップを折り曲げて確実に組み立てることができる。
【００２１】
また、本考案の請求項４に記載の衣類収容用ダンボール箱によれば、上側内フラップの第２上折曲部は下側内フラップの第２下折曲部の内面側に配置され、この上側内フラップの第２上折曲部に一対の連結開口が設けられ、下側内フラップの第２下折曲部に一対の挿入連結部が設けられているので、下側内フラップの一対の挿入連結部を折曲して上側内フラップの一対の連結開口に挿入することにより、これらの第２下折曲部及び第２上折曲部を連結することができる。
【００２２】
また、本考案の請求項５に記載の衣類収容用ダンボ−ル箱によれば、上側内フラップの第２上折曲部の両側部に一対の連結切欠きが設けられ、下側内フラップの第２下折曲部の両側部に一対の係合連結部が設けられているので、下側内フラップの一対の係合連結部を折曲して上側内フラップの一対の連結切欠きに係合させることにより、これらの第２下折曲部及び第２上折曲部を確実に連結することができる。
【００２３】
また、本考案の請求項６に記載の衣類収容用ダンボ−ル箱によれば、上側内フラップの第２上折曲部の基部に上側挿入切欠きが設けられているので、この上側挿入切欠きを通してハンガーのフック部を収容空間に容易に挿入することができる。
【００２４】
また、本考案の請求項７に記載の衣類収容用ダンボ−ル箱によれば、上側内フラップの上側挿入切欠きには上側開閉片が設けられているので、上側開閉片を開状態にすることにより、この上側挿入切欠きを通してハンガーのフック部を収容空間に挿入することができ、またこの上側開閉片を閉状態にすることにより、上側挿入切欠きが閉塞され、ハンガーのフック部の収容空間からの離脱を防止することができる。
【００２５】
また、本考案の請求項８に記載の衣類収容用ダンボール箱によれば、上側内フラップの第２上折曲部に一対の上側挿入開口（又は上側挿入切欠き）が設けられ、下側内フラップの第２下折曲部に一対の下側挿入開口が設けられ、上側内フラップ及び下側内フラップを所要の通りに組み付けた状態では、一対の下側挿入開口及び一対の上側挿入開口（又は上側挿入切欠き）とが相互に整合するので、これら下側挿入開口及び上側挿入開口（又は上側挿入切欠き）を通して指を挿入して上側内フラップの第２上折曲部を裏側から支えることができ、これにより、一対の挿入連結部を親指で強く押すことが可能となり、一対の挿入連結部の一対の連結開口への挿入作業を強い力でもって確実に行うことができる。
【００２６】
また、本考案の請求項９に記載の衣類収容用ダンボール箱によれば、上側内フラップの第２上折曲部は下側内フラップの第２下折曲部の外面側に配置され、この下側内フラップの第２下折曲部に一対の連結開口が設けられ、上側内フラップの第２上折曲部に一対の挿入連結部が設けられているので、上側内フラップの一対の挿入連結部を折曲して下側内フラップの一対の連結開口に挿入することにより、これらの第２上折曲部及び第２下折曲部を連結することができる。
【００２７】
更に、本考案の請求項１０に記載の衣類収容用ダンボ−ル箱によれば、下側内フラップの第２下折曲部の両側部に一対の連結切欠きが設けられ、上側内フラップの第２上折曲部の両側部に一対の係合連結部が設けられているので、上側内フラップの一対の係合連結部を折曲して下側内フラップの一対の連結切欠きに係合させることにより、これらの第２上折曲部及び第２下折曲部を確実に連結することができる。
【図面の簡単な説明】
【００２８】
【図１】本考案に従う衣類収容用ダンボールの一実施形態を示す斜視図。
【図２】図１の衣類収容用ダンボールの一部を拡大して示す斜視図。
【図３】図１におけるＩＩＩ−ＩＩＩ線による断面図。
【図４】図１の衣類収容用ダンボ−ルを展開して示す展開図。
【図５】図５は、衣類収容用ダンボールの一部を拡大して示す部分拡大展開図。
【図６】図１の衣類収容用ダンボールの上側内フラップ及び下側内フラップを折曲した状態を示す断面図であって、図６（ａ）は、上側内フラップの連結開口を通る線で切断した断面図、図６（ｂ）は、上側内フラップの連結切欠きを通る線で切断した断面図。
【図７】図１の衣類収容用ダンボールの上側内フラップ及び下側内フラップを組み付けた状態を示す断面図であって、図７（ａ）は、上側内フラップの連結開口を通る線で切断した断面図、図７（ｂ）は、上側内フラップの連結切欠きを通る線で切断した断面図。
【図８】本考案に従う衣類収容用ダンボールの他の実施形態を展開して示す展開図。
【図９】図８の衣類収容用ダンボールの上側内フラップ及び下側内フラップの組付けを説明するための断面図であって、図９（ａ）は、上側内フラップ及び下側内フラップを所要の通りに折曲した状態を示す断面図、図９（ｂ）は、上側内フラップ及び下側内フラップを所要の通りに組み付けた状態を示す断面図。
【図１０】本考案に従う衣類収容用ダンボールの更に他の実施形態を展開して示す展開図。
【図１１】図１０の衣類収容用ダンボールの上側内フラップ及び下側内フラップを組み付けた状態を、上側内フラップの連結開口を通る線で切断して示す断面図。
【考案を実施するための形態】
【００２９】
以下、添付図面を参照して、本考案に従う衣類収容用ダンボール箱の各種実施形態について説明する。まず、図１〜図７を参照して、本考案に従う衣類収容用ダンボール箱の一実施形態について説明する。
【００３０】
図１及び図４において、図示の衣類収容ダンボール箱は、衣類などを収容するための箱本体部２を備え、この箱本体部２は、一対の長さ面部４，６と、これら一対の長さ面部４，６を接続する一対の幅面部８，１０を備え、一対の長さ面部４，６が相互に対向して配設され、一対の幅面部８，１０が相互に対向して配設される。一対の長さ面部４，６及び一対の幅面部８，１０は矩形状の箱本体部２を構成し、この箱本体部２内に衣類などが後述するように収容される。
【００３１】
箱本体部２の上端部には上側外フラップ１２，１４及び上側内フラップ１６，１８が設けられている。箱本体部２の一方長さ面部４の上端から一方の上側外フラップ１２が延び、他方の長さ面部６の上端から他方の上側外フラップ１４が延びている。また、箱本体部２の一方の幅面部８の上端から一方の上側内フラップ１６が延び、他方の幅面部１０の上端から他方の上側内フラップ１６が延びている。
【００３２】
この箱本体部２の下端部には下側外フラップ２０，２２及び下側内フラップ２４，２６が設けられている。箱本体部２の一方の長さ面部４の下端から一方の下側外フラップ２０が延び、他方の長さ面部６の下端から他方の下側外フラップ２２が延びている。また、箱本体部２の一方の幅面部８の下端から一方の下側内フラップ２４が延び、他方の幅面部１０の下端から他方の下側内フラップ２６が延びている。このようなダンボール箱構造は、一般的なダンボール素材を用いた周知のダンボール箱構造である。
【００３３】
この第１の実施形態では、上述したダンボール箱構造に、次のような改良が施されている。図１及び図４とともに図２、図３及び図５を参照して、この衣類収容用ダンボール箱においては、上側内フラップ１６の幅方向（図２、図４及び図５において左右方向、図６及び図７において紙面に対して垂直な方向）において略中央部に上側スリット３２が設けられ、またこの上側内フラップ１６に対応する下側内フラップ２４の幅方向において略中央部に下側スリット３４が設けられている。
【００３４】
この実施形態では、上側内フラップ１６及び下側内フラップ２４は、図３に示すように組み立てられる。即ち、上側内フラップ１６については、破線３６の部位（幅面部８と上側内フラップ１６との境界部位）において内側に折曲され、この折曲された部分が第１上折曲部３８を構成し、また第１上折曲部３８の破線４０の部位において下側に折曲され、この折曲された部分が第２上折曲部４２を構成し、更に、第２上折曲部４２の破線４４の部位において外側に折曲され、この折曲された部分が第３上折曲部４６を構成する。
【００３５】
第１上折曲部３８は、幅面部８の上端から一対の下側外フラップ２０，２２に平行に内側に延び、第２上折曲部４２は、第１上折曲部３８の先端から幅面部８に平行に下側に延び、第３上折曲部３６は、第２上折曲部４２の先端から一対の下側外フラップ２０，２２に平行に外側に延びている。
【００３６】
また、下側内フラップ２４については、破線４８の部位（幅面部８と下側内フラップ２４との境界部位）において内側に折曲され、この折曲された部分が第１下折曲部５０を構成し、また下側内フラップ２４の破線５２の部位において上側に折曲され、この折曲された部分が第２下折曲部５４を構成する。
第１下折曲部５０は、幅面部８の下端から一対の下側外フラップ２０，２２に沿って内側に延び、第２下折曲部５４は、第１下折曲部５０の先端から上方に上側内フラップ１６の第２上折曲部４２の外面側に沿って延び、上述の第１下折曲部５０は、一対の下側外フラップ２０，２２と上側内フラップ１６の第３上折曲部４６との間に位置する。
【００３７】
一対の長さ面部４，６の一端側（図１において右上側、図２において上側）の上側内フラップ１６及び下側内フラップ２４が上述したように折曲されるので、図３に示すように、幅面部８並びに折曲された上側内フラップ１６及び下側内フラップ２４によって矩形状の収容空間５６が規定され、このように組み付けた状態では、図１及び図２に示すように、上側内フラップ１６の上側スリット３２と下側内フラップ２４の下側スリット３４とが相互に整合して連通スリットを構成する。
【００３８】
この実施形態では、上側スリット３２は、上側内フラップ１６の先端から第３上折曲部４６及び第２上折曲部４２を通して形成され、その先端から破線４０の部位まで延びており、また下側スリット３４は、下側内フラップ２４の先端から第２下折曲部５４を通して形成され、その先端から破線５２の部位まで延びている。このように構成されているので、上側内フラップ１６及び下側内フラップ２４を組み付けた状態では、図１及び図２に示すように、上側スリット３２及び下側スリット３４は、幅面部８の内側においてその上端から下端まで上下方向に直線状に延びている。
【００３９】
尚、この実施形態では、上側内フラップ１６の第２上折曲部４２及び第３上折曲部４６に上側スリット３２を設けているが、第２上折曲部４２のみに上側スリット３２を設けるようにしてもよい。また、この実施形態では、上側内フラップ１６に第３上折曲部４６を設けているが、この第３上折曲部４６を省略するようにしてもよい。
【００４０】
この実施形態では、下側内フラップ２４の第２下折曲部５４の内面側に上側内フラップ１６の第２上折曲部４２が位置することに関連して、上側内フラップ１６の第２上折曲部４２に、上側スリット３２を挟んで両側に一対の連結開口６２，６４が設けられている。連結開口６２，６４は、例えば、上側内フラップ１６の先端側（破線４４側）の方が基部側（破線４０側）よりも長い逆台形状に形成される。一対の連結開口６２，６４に対応して、下側内フラップ２４の第２下折曲部５４には、下側スリット３４を挟んで両側に一対の挿入連結部６６，６８が設けられている。これら挿入連結部６６，６８は、細長い半楕円状であり、基部側（破線５２側）が第２下折曲部５４に接続されて一体になっており、一対の挿入連結部６６，６８の上記幅方向における長さは、一対の連結開口６２，６４よりも長くなっている。
【００４１】
このように構成されているので、上側内フラップ１６及び下側内フラップ２４を所要の通りに折曲した状態では、図２及び図６（ａ）から理解されるように、上側内フラップ１６の一対の連結開口６２，６４の外面側（即ち、箱本体部２の内側）に下側内フラップ２４の一対の挿入連結部６６，６８が位置して整合し、このような状態にて、一対の挿入連結部６６，６８を親指（図示せず）で押して折曲させると、図７（ａ）で示すように、かかる一対の挿入連結部６６，６８が対応する連結開口６２，６４を通して収容空間５６内に突出し、それらの一部が連結開口６２，６４に係合することによって、上側内フラップ１６の第２上折曲部４２と下側内フラップ２４の第２下折曲部５４とが、一対の挿入連結部６６，６８を介して挿入連結される。
【００４２】
この実施形態では、上述したことに関連して、更に、上側内フラップ１６の第２上折曲部４２の両側部に一対の連結切欠き７２，７４が設けられている。これら連結切欠き７２，７４は、例えば、両側端が両側に開口し、それらの切欠き幅は開口端から内側に向けて漸減する台形状に形成される。一対の連結切欠き７２，７４に対応して、下側内フラップ２４の第２下折曲部５４の両側部には、一対の係合連結部７６，７８が設けられている。これら係合連結部７６，７８は、それらの内側端が第２下折曲部５４に接続されて一体となっており、またそれらの幅は先端から内側に向けて漸減する台形状に形成されている。
【００４３】
このように構成されているので、上側内フラップ１６及び下側内フラップ２４を所要の通りに折曲させた状態では、図２及び図６（ｂ）から理解されるように、上側内フラップ１６の一対の連結切欠き７２，７４の外面側（即ち、箱本体部２の内側）に下側内フラップ２４の一対の係合連結部７６，７８が整合して位置し、このような状態にて、一対の係合連結部６６，６８を親指（図示せず）で押して折曲させると、図７（ｂ）で示すように、かかる一対の係合連結部７６，７８が対応する連結切欠き７２，７４を通して収容空間５６内に突出し、それらの一部が連結切欠き７２，７４に係合し、これによって、上側内フラップ１６の第２上折曲部４２と下側内フラップ２４の第２下折曲部５４とが、一対の係合連結部６６，６８を介して係合連結される。
【００４４】
この実施形態では、下側内フラップ２４の一対の挿入連結部６６，６８及び一対の係合連結部７６，７８を用いて上側内フラップ１６の第２上折曲部４２と下側内フラップ２４の第２下折曲部５４とを連結しているので、これらを確実に連結することができるが、一対の挿入連結部６６，６８を用いて確実に連結できる場合には、一対の係合連結部７６，７８及びこれに関連する構成を省略することができ、また一対の係合連結部７６，７８を用いて確実に連結できる場合には、一対の挿入連結部６６，６８及びこれに関連する構成を省略することができる。
【００４５】
この実施形態では、図１〜図３に示すように、下側内フラップ２４（第２下折曲部５４）の略中央先端部に下側挿入切欠き８０が設けられ、この下側挿入切欠き８０が下側スリット３４に連通されている。この下側内フラップ２４における、下側スリット３４を挟んで下側挿入切欠き８０と対向する部位は、円弧状に形成されている。また、上側内フラップ１６の第２上折曲部４２の略中央基端部に上側挿入切欠き８２が設けられ、この上側挿入切欠き８２が上側スリット３２に連通されている。
【００４６】
このよう構成されているので、上側内フラップ１６及び下側内フラップ２４を所要の通りに折曲した状態（また、所要の通りに組み付けた状態）では、図１〜図３に示すように、上側内フラップ１６の上側挿入切欠き８２と下側内フラップ２４の下側挿入切欠き８０とが相互に整合して挿入切欠きを構成し、図２から理解されるように、ハンガー８６（例えば、衣類を吊したものなど）のフック部８８をこの挿入切欠き（下側挿入切欠き８０及び上側挿入切欠き８２）を通して収容空間５６内に挿入することができ、この挿入状態おいては、ハンガー８６のフック部８８を連通スリット（下側スリット３４及び上側スリット３２）を通して移動させることができる。
【００４７】
この上側挿入切欠き８２には、更に、上側開閉片８４が設けられており、この上側開閉片８４は、第１上折曲部３８に接する部分が接続されて一体に構成されている。この上側開閉片８４は、破線３６の部位を折曲することによって、図２に一点鎖線で示す状態であって、図３に実線で示す状態の閉状態と、図２に実線で示す状態であって、図３に一点鎖線で示す開状態との間を移動させることができる。この閉状態にあるときには、上側開閉片８４は上側挿入切欠き８２内に位置して閉塞し、また開状態にあるときには、上側開閉片８４は破線３６の部位を中心として上方に移動して上側挿入切欠き８２を開放する。
【００４８】
この実施形態では、上側挿入切欠き８２に上側開閉片８４を設けているが、下側挿入切欠き８０に、上側開閉片８４と同様の下側開閉片（図示せず）を設けるようにしてもよい。尚、このような上側開閉片８４を省略するようにしてもよい。
【００４９】
このような衣類収容用ダンボール箱は、例えば、次のようにして組み付けて、クリーニング前後の衣類などを収容して例えば宅配用などに用いることができる。主として図１〜図４を参照して、この衣類収容用ダンボール箱を組み付けるには、例えば、一対の下側内フラップ２４，２６を内側に折り曲げ、そして、折曲した一対の下側内フラップ２４，２６を覆うように一対の下側外フラップ２０，２２を内側に折り曲げ、その後、折曲した一対の下側外フラップ２４，２６の先端部を粘着テープ（図示せず）で貼り合わせる。
【００５０】
次いで、折曲した下側内フラップ２４については、破線５２（図５参照）の部位で折り曲げる。また、上側内フラップ１６については、破線３６，４０，４４の部位で折り曲げる。そして、図３に示すように、折曲した上側内フラップ１６が箱本体部２内の外側に、折曲した下側内フラップ２４が箱本体部２内の内側となるように位置付ける（即ち、上側内フラップ１６の第２上折曲部４２を覆うように下側内フラップ２４の第２下折曲部５４を位置付ける）。
【００５１】
その後、下側内フラップ２４側の一対の挿入連結部６６，６８を上側内フラップ１６側の対応する連結開口６２，６４を通して収容空間５６内に押し込むとともに、下側内フラップ２４側の一対の係合連結部７６，７８を上側内フラップ１６側の対応する連結切欠き７２，７４を通して収容空間５６内に押し込み、このようにして下側内フラップ２４と上側内フラップ１６とを連結して下側内フラップ２４及び上側内フラップ１６の内側に収容空間５６を形成し、このようにして図１に示す状態の衣類収容用ダンボール箱を組み付けることができる。
【００５２】
この衣類収容用ダンボール箱にハンガー８６に吊した状態の衣類（図示せず）を収容するには、図２に示すように、上側内フラップ１６側の上側開閉片８４を上方に折り曲げて開状態（図２に実線で示す状態）にし、ハンガー８６のフック部８８を下側内フラップ２４の下側挿入切欠き８０及び上側内フラップ１６の上側挿入切欠き８２を通して収容空間５６内に挿入する。そして、挿入したハンガー８６のフック部８８を連通スリット（下側スリット３４及び上側スリット３２）に沿って下側に移動させ、一対の下側外フラップ２０，２２上に載置して収容する。複数の衣類を収容するときには、上述した収容動作を繰り返し遂行するようになる。
【００５３】
衣類の収容が終了した後は、上側内フラップ１６側の上側開閉片８４を元の閉状態に戻す。このように元の状態にすると、上側挿入切欠き８２が閉塞され、ハンガー８６のフック部８８が連通スリット（下側スリット３４及び上側スリット３２）から外れることがなく、従って、収容した衣類が衣類収容用ダンボール箱内で大きく動くことがなく、トラックなどに積んで安全に搬送することができる。
【００５４】
このように衣類を収容した後は、他方の上側内フラップ１８を内側に折り曲げ、更に一対の上側内フラップ１６，１８を覆うように一対の上側外フラップ１２，１４を内側に折り曲げ、その後、折曲した一対の上側外フラップ１２，１４の先端部を粘着テープ（図示せず）で貼り合わせ、このようにして搬送する衣類の荷造りを行うことができる。
【００５５】
このような衣類収容用ダンボール箱は、図８及び図９に示すように構成することもできる。尚、以下の実施形態において、図１〜図７に示す実施形態と実質上同一の部材には同一の参照番号を付し、その説明を省略する。
【００５６】
衣類収容用ダンボール箱の他の実施形態を示す図８及び図９において、この他の実施形態では、下側内フラップ２４Ａ側の一対の挿入連結部６６，６８の挿入動作を容易にするために、上側内フラップ１６Ａに一対の上側挿入開口１０２，１０４が設けられ、下側内フラップ２４Ａに一対の下側挿入開口１０６，１０８が設けられている。
【００５７】
更に説明すると、上側内フラップ１６Ａは、破線３６及び破線４０の部位で折り曲げて形成される第１上折曲部３８Ａ及び第２上折曲部４２Ａを有するが、上述した実施形態における第３上折曲部は省略されている。この上側内フラップ１６Ａの第２上折曲部４２Ａには、一対の連結開口６２，６４及び一対の連結切欠き７２，７４が設けられ、更に一対の連結開口６２，６４に対応して一対の上側挿入開口１０２，１０４が設けられている。一方（又は他方）の上側挿入開口１０２（又は１０４）は、第２上折曲部４２Ａにおける、対応する連結開口６２（又は６４）よりも先端側の部位に設けられる。
【００５８】
この実施形態では、上側挿入開口１０２，１０４には、これらを開閉自在に塞ぐ上側開閉部材１１０，１１２が設けられ、この上側開閉部材１１０，１１２を折り曲げることにより、上側挿入開口１０２，１０４を開放することができる。尚、上側開閉部材１１０，１１２については省略することができ、この場合、上側挿入開口１０２，１０４のみが設けられる。
【００５９】
また、下側内フラップ２４Ａは、破線４８及び破線５２の部位で折り曲げて形成される第１下折曲部５０Ａ及び第２下折曲部５４Ａを有している。この実施形態では、上側内フラップ１６Ａのこのような構成に関連して、下側内フラップ２４Ａの第２下折曲部５４Ａには、一対の挿入連結部６６，６８及び一対の係合連結部７６，７８が設けられ、更に一対の挿入連結部６６，６８に対応して一対の下側挿入開口１０６，１０８が設けられている。一方（又は他方）の下側挿入開口１０６（又は１０８）は、第２下折曲部５４Ａにおける、対応する挿入連結部６６（又は６８）よりも基部側（破線５２の部位側）の部位に設けられる。この他の実施形態におけるその他の構成は、図１〜図７に示す実施形態と実質上同一であり、その説明を省略する。
【００６０】
この衣類収容用ダンボール箱では、上側内フラップ１６Ａ及び下側内フラップ２４Ａは、上述したように折り曲げると図９（ａ）に示す状態となる。即ち、下側内フラップ２４Ａの第２下折曲部５４Ａの一対の挿入連結部６６，６８と上側内フラップ１６Ａの第２上折曲部４２Ａの一対の連結開口６２，６４とが整合した状態となり、また第２下折曲部５４Ａの一対の下側挿入開口１０６，１０８と第２上折曲部４２Ａの上側挿入開口１０２，１０４（一対の上側開閉部材１１０，１１２）とが整合した状態となる。更に、図示していないが、第２下折曲部５４Ａの一対の係合連結部７６，７８と第２上折曲部４２Ａの連結切欠き７２，７４とが整合した状態となる。
【００６１】
このような状態において、第２下折曲部５４Ａの一対の挿入連結部６６，６８を指（例えば、親指）で押し、第２上折曲部４２Ａの一対の連結開口６２，６４を通して収容空間５６内に押し込んで挿入連結するとともに、第２下折曲部５４Ａの一対の係合連結部７６，７８を指で押し、一対の連結切欠き７２，７４を通して収容空間５６内に押し込んで係合連結する。
【００６２】
この一対の挿入連結部６６，６８を例えば親指でもって押圧するとき、図９（ｂ）に示すように、一対の上側開閉部材１１０，１１２を収容空間５６側に折曲することにより、親指を除く４本の指の指先を、第２下折曲部５４Ａの下側挿入開口１０６，１０８及び第２上折曲部４２Ａの上側挿入開口１０２，１０４を通して収容空間５６内に挿入することが可能となる。従って、収容空間５６内に挿入した指先でもって、上側内フラップ１６Ａの第２上折曲部４２Ａを収容空間５６側から支えることができ、これにより、下側内フラップ２４Ａ側の一対の挿入連結部６６，６８を親指で強く押し込むことが可能となり、一対の挿入連結部６６，６８の挿入動作が容易になるとともに、その押し込みを強く確実に行うことができる。
【００６３】
このような衣類収容用ダンボール箱は、図１０及び図１１に示すように構成することもできる。衣類収容用ダンボール箱の更に他の実施形態を示す図１０及び図１１において、この実施形態では、上側内フラップに更なる改良が施されている。
【００６４】
図１０及び図１１において、下側内フラップ２４Ｂは、図８及び図９に示す実施形態と同様の構成であり、その第２下折曲部４２Ｂには、一対の挿入連結部６６，６８、一対の係合連結部７６，７８及び一対の下側挿入開口０６，１０８が設けられている。また、上側内フラップ１６Ｂは、図８及び図９に示す実施形態と同様に、一対の連結開口６２，６４及び一対の連結切欠き７２，７４を備えているが、上側挿入開口に代えて一対の上側挿入切欠き１２２，１２４が設けられている。この実施形態におけるその他の構成は、図８及び図９に示す実施形態と実質上同一である。
【００６５】
この衣類収容用ダンボール箱では、上側内フラップ１６Ｂ及び下側内フラップ２４Ｂは、上述したように折り曲げることにより、図１１に示す状態となる。即ち、所要の通りに組み立てると、下側内フラップ２４Ｂの第２下折曲部５４Ｂの一対の挿入連結部６６，６８と上側内フラップ１６Ｂの第２上折曲部４２Ｂの一対の連結開口６２，６４とが整合した状態となり、また第２下折曲部５４Ｂの一対の下側挿入開口１０６，１０８と第２上折曲部４２Ｂの上側挿入切欠き１２，１２４とが整合した状態となる。
【００６６】
この実施形態において、一対の挿入連結部６６，６８を例えば親指でもって押圧するときには、図１１から理解される如く、親指を除く４本の指の指先を第２下折曲部５４Ｂの下側挿入開口１０６，１０８及び第２上折曲部４２Ｂの上側挿入切欠き１２２，１２４を通して収容空間５６内に挿入することがでる。従って、図８及び図９に示す実施形態と同様に、収容空間５６内に挿入した指先でもって、上側内フラップ１６Ｂの第２上折曲部４２Ｂを収容空間５６側から支えることができ、上述した実施形態と同様に、下側内フラップ２４Ｂ側の一対の挿入連結部６６，６８を親指で強く押し込むことができる。
【００６７】
以上、本考案に従う衣類収容用ダンボール箱の各種実施形態について説明したが、本考案は上述した実施形態に限定されるものではなく、本考案の範囲を逸脱することなく種々の変更乃至修正が可能である。
【００６８】
例えば、上述した実施形態では、下側内フラップ２４の第２下折曲部５４の内面側に上側内フラップ１６の第２上折曲部４２が位置するように構成しているが、これとは反対に、下側内フラップ２４の第２下折曲部５４の外面側に上側内フラップ１６の第２上折曲部４２が位置するように構成することもでき、この場合、上側内フラップ１６の第３上折曲部４６は省略される。
【００６９】
この場合、図示していないが、上側内フラップ１６の第２上折曲部４２及び下側内フラップ２４の第２下折曲部５４を連結するための挿入連結部及び係合連結部などは、次のように構成される。即ち、下側内フラップ１６の第２下折曲部５４に、下側スリット３４を挟んで両側に一対の連結開口が設けられ、かかる一対の連結開口６２，６４に対応して、上側内フラップ１６の第２上折曲部４２には、上側スリット３２を挟んで両側に一対の挿入連結部が設けられる。また、下側内フラップ２４の第２下折曲部５４の両側部に一対の連結切欠きが設けられ、かかる一対の連結切欠きに対応して、上側内フラップ１６の第２上折曲部４２の両側部に一対の係合連結部が設けられる。
【００７０】
このような構成の衣類収容用ダンボ−ル箱では、上側内フラップ１６及び下側内フラップ２４を所要の通りに折曲した状態では、上述したと同様に、下側内フラップ２４の一対の連結開口の外面側（即ち、箱本体部２の内側）に上側内フラップ１６の一対の挿入連結部が位置して整合し、また下側内フラップ２４の一対の連結切欠きの外面側（即ち、箱本体部２の内側）に上側内フラップ１６の一対の係合連結部が整合して位置する。そして、このような状態において、上側内フラップ１６側の一対の挿入連結部を下側内フラップ２４側の対応する連結開口を通して折曲させると、かかる一対の挿入連結部が対応する連結開口に係合し、また上側内フラップ１６側の一対の係合連結部を下側内フラップ２４側の対応する連結切欠きを通して折曲させると、かかる一対の係合連結部が対応する連結切欠きに係合し、かかる場合においても、下側内フラップ２４の第２下折曲部５４と上側内フラップ１６の第２上折曲部４２と上述したと同様にして連結することができる。
【符号の説明】
【００７１】
２  箱本体部
４，６  長さ面部
８，１０  幅面部
１２，１４  上側外フラップ
１６，１６Ａ，１６Ｂ，１８  上側内フラップ
２０，２２  下側外フラップ
２４，２４Ａ，２４Ｂ，２６  下側内フラップ
４２，４２Ａ，４２Ｂ  第２上折曲部
５４，５４Ａ，５４Ｂ  第２下折曲部
６２，６４  連結開口
６６，６８  挿入連結部
７２，７４  挿入切欠き
７６，７８  係合連結部
８０  下側挿入切欠き
８２  上側挿入切欠き
８４  上側開閉片
８６  ハンガー
１０２，１０４  上側挿入開口
１０６，１０８  下側挿入開口
１２２，１２４  上側挿入切欠き
【図１】
0003224993.tif 000003
【図２】
0003224993.tif 000004
【図３】
0003224993.tif 000005
【図４】
0003224993.tif 000006
【図５】
0003224993.tif 000007
【図６】
0003224993.tif 000008
【図７】
0003224993.tif 000009
【図８】
0003224993.tif 000010
【図９】
0003224993.tif 000011
【図１０】
0003224993.tif 000012
【図１１】
0003224993.tif 000013
【手続補正書】
【提出日】令和1年11月22日(2019.11.22)
【手続補正１】
【補正対象書類名】実用新案登録請求の範囲
【補正対象項目名】全文
【補正方法】変更
【補正の内容】
【実用新案登録請求の範囲】
【請求項１】
相互に対向する一対の長さ面部及び前記一対の長さ面部を接続する一対の幅面部を有する箱本体部と、前記箱本体部の前記一対の幅面部の上端から延びる一対の上側内フラップと、前記一対の幅面部の下端から延びる一対の下側内フラップと、前記箱本体部の前記一対の長さ面部の上端から延びる一対の上側外フラップと、前記一対の長さ面部の下端から延びる一対の下側外フラップとを備えており、
前記一対の上側内フラップ及び前記一対の下側内フラップのうち対応する一方の上側内フラップ及び下側内フラップには、先端部側から前記箱本体部側に延びる上側スリット及び下側スリットが設けられており、
前記上側内フラップは、前記幅面部の前記上端から内側に折り曲げられた第１上折曲部と、前記第１上折曲部から下側に折り曲げられて対応する幅面部に平行に延びる第２上折曲部とを有し、また前記下側内フラップは、前記幅面部の前記下端から内側に折り曲げられた第１下折曲部と、前記第１下折曲部から上側に折り曲げられて前記上側内フラップの前記第２上折曲部の外面側又は内面側にて上方に延びる第２下折曲部とを有し、前記上側内フラップの前記上側スリットと前記下側内フラップの前記下側スリットとが相互に整合するように構成されていることを特徴とする衣類収容用ダンボール箱。
【請求項２】
前記上側スリットは、前記上側内フラップの前記第２上折曲部に設けられ、前記第２上折曲部の一端から他端まで延びており、また前記下側スリットは、前記下側内フラップの前記第２下折曲部に設けられ、前記第２下折曲部の一端から他端まで延びていることを特徴とする請求項１に記載の衣類収容用ダンボール箱。
【請求項３】
前記上側内フラップの前記第２上折曲部は、前記下側内フラップの前記第２下折曲部の内面側に配置されており、前記上側内フラップは、更に、前記第２上折曲部から折曲されて前記下側内フラップの前記第１下折曲部に沿って延びる第３上折曲部を有し、前記上側スリットは、前記上側内フラップの先端から前記第３上折曲部及び前記第２上折曲部を通して設けられ、また前記下側スリットは、前記下側内フラップの先端から前記第２下折曲部を通して設けられていることを特徴とする請求項２に記載の衣類収容用ダンボール箱。
【請求項４】
前記上側内フラップの前記第２上折曲部は、前記下側内フラップの前記第２下折曲部の内面側に配置されており、前記上側内フラップの前記第２上折曲部には、前記上側スリットを挟んで両側に一対の連結開口が設けられ、前記下側内フラップの前記第２下折曲部には、前記上側内フラップの前記一対の連結開口に対応して、前記下側スリットを挟んで両側に一対の挿入連結部が設けられており、前記下側内フラップの前記一対の挿入連結部が折曲されて前記上側内フラップの前記一対の連結開口に挿入連結されることを特徴とする請求項１に記載の衣類収容用ダンボール箱。
【請求項５】
前記上側内フラップの前記第２上折曲部には、その両側部に一対の連結切欠きが設けられ、前記下側内フラップの前記第２下折曲部には、前記上側内フラップの前記一対の連結切欠きに対応して、その両側部に一対の係合連結部が設けられており、前記下側内フラップの前記一対の係合連結部が折曲されて前記上側内フラップの前記一対の連結切欠きに係合連結されることを特徴とする請求項４に記載の衣類収容用ダンボール箱。
【請求項６】
前記上側内フラップの前記第２上折曲部の基部には、前記上側スリットに連通する上側挿入切欠きが設けられ、ハンガーのフック部が前記上側内フラップの前記上側挿入切欠きを通して挿入されることを特徴と請求項１〜５のいずれかに記載の衣類収容用ダンボール箱。
【請求項７】
前記上側内フラップの前記上側挿入切欠きには、前記上側挿入切欠きを開閉するための上側開閉片が設けられていることを特徴とする請求項６に記載の衣類収容用ダンボール箱。
【請求項８】
前記上側内フラップの前記第２上折曲部には、更に、前記一対の連結開口に対応して一対の上側挿入開口又は上側挿入切欠きが設けられているとともに、前記下側内フラップの前記第２下折曲部には、更に、前記一対の挿入連結部に対応して一対の下側挿入開口が設けられており、前記上側内フラップ及び前記下側内フラップを所要の通りに組み付けると、前記下側内フラップの前記一対の下側挿入開口と前記上側内フラップの前記一対の上側挿入開口又は上側挿入切欠きとが、相互に整合するように構成されていることを特徴とする請求項４又は５に記載の衣類収容用ダンボール箱。
【請求項９】
前記上側内フラップの前記第２上折曲部は、前記下側内フラップの前記第２下折曲部の外面側に配置されており、前記下側内フラップの前記第２下折曲部には、前記下側スリットを挟んで両側に一対の連結開口が設けられ、前記上側内フラップの前記第２上折曲部には、前記下側内フラップの前記一対の連結開口に対応して、前記上側スリットを挟んで両側に一対の挿入連結部が設けられており、前記上側内フラップの前記一対の挿入連結部が折曲されて前記下側内フラップの前記一対の連結開口に挿入連結されることを特徴とする請求項１に記載の衣類収容用ダンボール箱。
【請求項１０】
前記下側内フラップの前記第２下折曲部には、その両側部に一対の連結切欠きが設けられ、前記上側内フラップの前記第２上折曲部には、前記下側内フラップの前記一対の連結切欠きに対応して、その両側部に一対の係合連結部が設けられており、前記上側内フラップの前記一対の係合連結部が折曲されて前記下側内フラップの前記一対の連結切欠きに係合連結されることを特徴とする請求項９に記載の衣類収容用ダンボール箱。
【手続補正２】
【補正対象書類名】明細書
【補正対象項目名】０００８
【補正方法】変更
【補正の内容】
【０００８】
また、本考案の請求項２に記載の衣類収容用ダンボール箱では、前記上側スリットは、前記上側内フラップの前記第２上折曲部に設けられ、前記第２上折曲部の一端から他端まで延びており、また前記下側スリットは、前記下側内フラップの前記第２下折曲部に設けられ、前記第２下折曲部の一端から他端まで延びていることを特徴とする。
【手続補正３】
【補正対象書類名】明細書
【補正対象項目名】０００９
【補正方法】変更
【補正の内容】
【０００９】
また、本考案の請求項３に記載の衣類収容用ダンボール箱では、前記上側内フラップの前記第２上折曲部は、前記下側内フラップの前記第２下折曲部の内面側に配置されており、前記上側内フラップは、更に、前記第２上折曲部から折曲されて前記下側内フラップの前記第１下折曲部に沿って延びる第３上折曲部を有し、前記上側スリットは、前記上側内フラップの先端から前記第３上折曲部及び前記第２上折曲部を通して設けられ、また前記下側スリットは、前記下側内フラップの先端から前記第２下折曲部を通して設けられていることを特徴とする。
【手続補正４】
【補正対象書類名】明細書
【補正対象項目名】００１５
【補正方法】変更
【補正の内容】
【００１５】
また、本考案の請求項９に記載の衣類収容用ダンボール箱では、前記上側内フラップの前記第２上折曲部は、前記下側内フラップの前記第２下折曲部の外面側に配置されており、前記下側内フラップの前記第２下折曲部には、前記下側スリットを挟んで両側に一対の連結開口が設けられ、前記上側内フラップの前記第２上折曲部には、前記下側内フラップの前記一対の連結開口に対応して、前記上側スリットを挟んで両側に一対の挿入連結部が設けられており、前記上側内フラップの前記一対の挿入連結部が折曲されて前記下側内フラップの前記一対の連結開口に挿入連結されることを特徴とする。